(57)【要約】【課題】簡単に装着できる簡易帯の提供。【解決手段】帯本体部１３と、該帯本体部１３の裏地側の一端部１４にその裏地１３ｂ側が露呈する配置関係で展開させた抱持布部２３とからなる帯地１２と、お飾りの形成を可能な飾り布地とで構成され、帯本体部１３は、表地１３ａ側の一端部１４から引き出された結び紐１８，１９と、表地１３の他端部１５側の一側止着片３３と、裏地の一端部１４側の他側止着片とを備え、抱持布部２３は、一方の面ファスナー片２６と他方の面ファスナー片とを備え、お飾りは、結び紐１８，１９による帯本体部１３側への位置固定と、一方の面ファスナー片２６と他方の面ファスナー片との係着による抱持布部２３での抱持とを可能にするとともに、帯本体部１３は、一側止着片３３と他側止着片との止着による人体胴回りへの装着を可能とした。【選択図】図１
2015001030.tif 000002
【特許請求の範囲】
【請求項１】
人体の胴回りに配置される帯本体部と、該帯本体部の裏地側の一端部にてその長さ方向と直交する方向を長さ方向としてその一側端縁側を前記帯本体部の一側辺側に縫着させて前記帯本体部側からその裏地側が部分的に露呈する配置関係で展開させた抱持布部とからなる略倒Ｌ字形を呈する帯地と、該帯地の帯幅と同幅で、かつ、適宜長さが付与されて複数回折り返してのお飾りの形成を可能に別途用意される飾り布地とで構成され、
前記帯本体部は、表地側の前記一端部に縫着部を設けて前記抱持布部の長さ方向へと引き出された上下一対の結び紐と、前記表地の他端部側に配設された一側止着片と、前記裏地の前記一端部側に配設された他側止着片とを備え、
前記抱持布部は、裏地側の前記他側端縁近傍に一方の面ファスナー片を、表地側の前記一側端縁近傍に他方の面ファスナー片をそれぞれ備え、
前記飾り布地をその表地側が表面に位置するように折り返して形成される前記お飾りは、一対の前記結び紐を介しての前記帯本体部側への位置固定と、一方の前記面ファスナー片と他方の前記面ファスナー片とを係着させての前記抱持布部による抱持とを可能にするとともに、
前記帯本体部は、前記一側止着片と前記他側止着片とを止着させて人体胴回りへの装着を可能としたことを特徴とする簡易帯。
【請求項２】
前記帯本体部は、帯布材を２枚重ねにして形成するとともに、帯幅を８．５〜９．５ｃｍとした請求項１に記載の簡易帯。
【請求項３】
前記帯本体部は、その長さ方向に帯板を内在配置させるとともに、帯幅を１４．５〜１５．５ｃｍとした請求項１に記載の簡易帯。
【請求項４】
前記一側止着片と前記他側止着片とは、互いに結び合わせて前記帯本体部の人体胴回りへの安定的な装着が可能な摩擦性に富む素材からなる上下一対の一側紐片と上下一対の他側紐片とである請求項１ないし３のいずれかに記載の簡易帯。
【請求項５】
前記一側止着片は、一側面ファスナー片であるフックテープ片またはループテープ片とし、前記他側止着片は、他側面ファスナー片であるループテープ片またはフックテープ片とし、相互を係合させて前記帯本体部の人体胴回りへの装着を自在とした面ファスナーである請求項１ないし３のいずれかに記載の簡易帯。
【発明の詳細な説明】
【技術分野】
【０００１】
本発明は、誰でも簡単に装着することができる簡易帯に関する技術である。
【背景技術】
【０００２】
着物は、日本古来からの民族衣装として様々な場所で着用されてきており、その種類も着用の目的や着用者の年齢、着用場所などに応じ得るように種々の態様のもとで提供されてきている。
【０００３】
また、着物は、上から下に向けて流れるようにして着用することができるように上下一体となった一部式着物（対丈着物）が一般的であり、これを着用することにより着物本来の美しさを演出することができるようになっている。
【０００４】
しかし、一部式着物（対丈着物）は、着付けが難しいことから、洋服のように簡単に着用することはできず、一人で着付けができるようになるまでには相当程度の熟練を要するという問題があり、また、一人で着付けができるようになったとしても着付けを終えるまでにはどうしてもある程度の時間を要するという煩雑さがあった。
【０００５】
このため、一部式着物（対丈着物）にみられた上記問題を解消するものとしては、上下が別体となった二部式着物も既に提案されている。
【０００６】
一方、これら一部式着物や二部式着物は、帯を装着して着こなされることになる。その場合、帯は、１本を半分の幅に折り曲げて胴回りに複数回巻き付けた上で、帯枕や帯板やクリップ等の多くの小物を用いながら手を後に回して着付ける必要があった。
【０００７】
しかも、帯は、その巻き方によっては着崩れを起こしやすいことから、きちんと巻くための熟練の技が必要であった。また、帯枕を止めるために用いられた紐は、これを隠すために帯揚げをし、帯をしっかり固定するために帯締めを用いる必要があったことから、胴回りにすっきり感がなくなってしまうという不具合もあった。
【０００８】
従来からある帯にみられた上記課題を解決するものとしては、例えば特許文献１〜３に示すような簡単に装着できるようにしたものも既に提案されている。
【先行技術文献】
【特許文献】
【０００９】
【特許文献１】特開２００６−２１４０４９号公報
【特許文献２】特開２００７−０６３６８６号公報
【特許文献３】特開２００９−１２７１４５号公報
【発明の概要】
【発明が解決しようとする課題】
【００１０】
これらのうち、特許文献１の「帯結び用補助ベルト」や特許文献２の「簡易組帯」による場合には、従前からある帯に比べその装着作業をある程度は簡易化できるものではあっても、依然として比較的煩雑な作業が強いられる問題があった。また、特許文献３の「和服用帯」は、特許文献１の「帯結び用補助ベルト」や特許文献２の「簡易組帯」に比べればより簡単に装着できるものではあるとしても、未だ十分にはその装着作業を簡易化できないという不都合があった。
【００１１】
本発明者らは、日本の民族衣装ともいうべき着物を大多数の日本人が一人では着用できないという現状を打破して伝統を復活せんとする強い信念のもとで、誰もが普段着として気軽に、かつ、簡単に着用できる一部式着物（対丈着物）や二部式着物を開発するなかで、これらの着物との組み合わせのもとで簡単に装着することができる簡易帯の開発に向けて鋭意努力を重ねてきた。
【００１２】
すなわち、本発明は、従来からある簡易帯にみられた上記課題に鑑み、本発明者らが開発してきた一部式着物（対丈着物）や二部式着物により好適に適合させて使用できるだけでなく、非常に簡単に装着することもできる簡易帯を提供することを目的とする。
【課題を解決するための手段】
【００１３】
本発明は、上記目的を達成すべくなされたものであり、人体の胴回りに配置される帯本体部と、該帯本体部の裏地側の一端部にてその長さ方向と直交する方向を長さ方向としてその一側端縁部を前記帯本体部の一側辺部に縫着させて前記帯本体部側からその裏地側が部分的に露呈する配置関係で展開させた抱持布部とからなる略倒Ｌ字形を呈する帯地と、該帯地の帯幅と同幅で、かつ、適宜長さが付与されて複数回折り返してのお飾りの形成を可能に別途用意される飾り布地とで構成され、前記帯本体部は、表地側の前記一側端部に縫着部を設けて前記抱持布部の長さ方向へと引き出された上下一対の結び紐と、前記表地の他端部側に配設された一側止着片と、前記裏地の前記一端部側に配設された他側止着片とを備え、前記抱持布部は、裏地側の前記他側端縁近傍に一方の面ファスナー片を、表地側の前記一側端縁近傍に他方の面ファスナー片をそれぞれ備え、前記飾り布地をその表地側が表面に位置するように折り返して形成される前記お飾りは、一対の前記結び紐を介しての前記帯本体部側への位置固定と、一方の前記面ファスナー片と他方の前記面ファスナー片とを係着させての前記抱持布部による抱持とを可能にするとともに、前記帯本体部は、前記一側止着片と前記他側止着片とを止着させて人体胴回りへの装着を可能としたことを最も主要な特徴とする。
【００１４】
この場合、前記帯本体部は、帯布材を２枚重ねにして形成するとともに、その帯幅を８．５〜９．５ｃｍとしたり、その長さ方向に沿わせて帯板を内蔵させるとともに、帯幅を１４．５〜１５．５ｃｍとしたりすることができる。
【００１５】
また、前記一側止着片と前記他側止着片とは、互いに結び合わせて前記帯本体部の人体胴回りへの安定的な装着が可能な摩擦性に富む素材からなる上下一対の一側紐片と上下一対の他側紐片とで形成することができる。
【００１６】
さらに、前記一側止着片は、一側面ファスナー片であるフックテープ片またはループテープ片とし、前記他側止着片は、他側面ファスナー片であるループテープ片またはフックテープ片とし、相互を係合させて前記帯本体部の人体胴回りへの装着を自在とした面ファスナーで形成してもよい。
【発明の効果】
【００１７】
本発明にのうち、請求項１に記載の発明によれば、帯本体部は、表地側の一側端部に一対の結び紐を備えているので、これらの結び紐により飾り布地をその上面に表地が位置するように複数回折り返して形成されたお飾りを結び付けるだけで、簡単に帯本体部側に位置固定することができる。この場合、お飾りは、帯本体部側とは別体となって形成されているので、自分好みの形となるように自由にアレンジした上で、帯本体部側に位置固定することができる。
【００１８】
また、位置固定されたお飾りは、抱持布部をお飾りの中心部位側を隠蔽しながら手前側へと引き下ろした上で、抱持布部がその裏地側に備える一方の面ファスナー片を、表地側に備える他方の面ファスナー片と単に係着させて帯地側にお飾りを取り付けることで、その全体を簡易帯として簡単に一体化させることができる。
【００１９】
しかも、簡易帯として用いる場合には、帯本体部の表地の他端部側に配設されている一側止着片と、裏地の一端部側に配設されている他側止着片とを相互に止着することで、誰でも極めて簡単にこれを人体ウエスト回りに装着することができる。
【００２０】
請求項２に記載の発明によれば、帯布材を２枚重ねにしてなる帯本体部は、その帯幅が８．５〜９．５ｃｍの細幅にして形成されているので、腹部を覆う面積もそれだけ少なくしてどのような体形であっても足が長く、かつ、ウエストが細くみえるようにして装着できるほか、帯装着時の違和感をなくして動きやすくすることができる。
【００２１】
請求項３に記載の発明によれば、帯本体部は、その長さ方向に帯板を予め内在配置させてあるので、従来のように帯を巻きながら帯板を挟み込む手間をかけなくすることができる。また、帯本体部は、その帯幅が１４．５〜１５．５ｃｍの広幅にして形成されているので、アンダーバスト周りに装着した際により重厚な雰囲気を醸成することができる。
【００２２】
請求項４に記載の発明によれば、一側止着片と他側止着片とは、互いに結び合わせて帯本体部の人体胴回りへの安定的な装着が可能な摩擦性に富む素材からなる上下一対の一側紐片と上下一対の他側紐片とで形成されているので、単に結び合わせるだけの簡単な作業だけで締め付け用の紐を別に用いて強く締め付けることなく簡易帯の全体を人体胴回りに確実に装着することができる。
【００２３】
請求項５に記載の発明によれば、一側止着片は、一側面ファスナー片であるフックテープ片またはループテープ片とし、他側止着片は、他側面ファスナー片であるループテープ片またはフックテープ片とすることで、紐を用いる際の結び付け作業をなくしたベルトを使用する感覚のもとで簡易帯を簡単に装着することができる。
【図面の簡単な説明】
【００２４】
【図１】本発明の第１の例における帯地側の正面図。
【図２】本発明の第１の例における帯地側の背面図。
【図３】図２における抱持布部を上側に引き開いた状態で示す背面図。
【図４】本発明の第１の例における飾り布地側の正面図。
【図５】図４に示す飾り布地を用いてお飾りを形成するために複数回折り返した際の状態を模式的に示す説明図であり、そのうちの（ａ）は平面図を、（ｂ）は正面図をそれぞれ示す。
【図６】本発明の第２の例における帯地側を一部を省略して示す正面図。
【図７】本発明の第２の例における帯地側を一部を省略して示す背面図。
【図８】図７における抱持布部を上側に引き開いた状態で示す背面図。
【図９】本発明の第２の例における飾り布地側の一部を省略した説明図であり、そのうちの（ａ）は正面側を、（ｂ）は背面側をそれぞれ示す。
【図１０】図９に示す飾り布地を用いてお飾りを形成するために複数回折り返した際の状態を模式的に示す説明図であり、そのうちの（ａ）は平面図を、（ｂ）は正面図をそれぞれ示す。
【図１１】本発明の第３の例における帯地側を一部を省略して示す正面図。
【図１２】本発明の第３の例における帯地側を一部を省略して示す背面図。
【図１３】図１２における抱持布部側を上側に引き開いた状態で示す背面図。
【図１４】本発明において帯地側にお飾りを取り付ける手順を示す説明図であり、そのうちの（ａ）は、お飾りを帯本体部の一端部上に載置した状態を、（ｂ）は、結び紐を用いて帯本体部の一端部上にお飾りを位置固定させた状態を、（ｃ）は、抱持布部を巻き付けて結び紐側を隠蔽した状態をそれぞれ示す。
【発明を実施するための形態】
【００２５】
本発明に係る簡易帯１１は、人体の胴回りに配置される帯本体部１３と、該帯本体部１３の裏地１３ｂ側の一端部１４にてその長さ方向と直交する方向を長さ方向とし、例えば図２に示されているようにその一側端縁２４側を帯本体部１３の一側辺１６側に縫着させて帯本体部１３側からその裏地２３ｂ側が例えば図１に示すように部分的に露呈する配置関係で展開させた抱持布部２３とからなる略倒Ｌ字形を呈する帯地１１と、該帯地１１の帯幅と同幅で、かつ、適宜長さが付与されて複数回折り返してのお飾り４３の形成を可能に別途用意される飾り布地４２とをその基本構成としている。
【００２６】
ここで、上記基本構成を備える本発明における第１の例としての簡易帯１１を図１〜図５に基づいて具体的に説明すれば、帯地１２における帯本体部１３は、図１において抱持布部２３側から装着者のウエスト回りの実寸寸法分の長さのほか、さらにその右端部側に２０ｃｍ程度（１９〜２１ｃｍ）付加した長さをその全長とすることで、巻き付けて装着した際に２０ｃｍ程度の重ね合わせ部位を確保することで、ずれたりして巻き心地に安定感がなかったり、重すぎてごわつくといったことなどのない安定した装着状態が得られるようになっている。しかも、帯本体部１３は、その帯幅が８．５〜９．５ｃｍである帯布材を２枚重ねすることで、表地１３ａ側を適宜の模様が付された装飾面とし、裏地１３ｂ側を例えば模様のない非装飾面としたり表側と同様に適宜の模様が付された装飾面とするなどして形成されている。
【００２７】
また、抱持布部２３は、図１および図２からも明らかなように、帯本体部１３の帯幅と同じ幅で、その長さが３１．５〜３２．５ｃｍ、好ましくは３０ｃｍであって、表地２３ａ側を適宜の模様が付された装飾面とし、裏地２３ｂ側を例えば模様のない非装飾面とした状態のもとで形成されている。
【００２８】
つまり、帯本体部１３と抱持布部２３とからなる帯地１２は、図１に示すように帯本体部１３の一端部１４に位置する表地１３ａ側に抱持布部２３の裏地２３ｂ側が部分的に露呈する配置関係となった略倒Ｌ字形を呈して形成されている。
【００２９】
しかも、帯本体部１３は、図１に示すように表地１３ａ側の一側端部１４の略中央位置に縫着部２０を設けて抱持布部２３の長さ方向へと引き出されたそれぞれの紐幅が１．５〜２．５ｃｍで紐長さが２５〜３０ｃｍである上下一対の結び紐１８，１９と、表地１３ａ側の他端部１５に配設された一側止着片３３としての一側面ファスナー片（例えばフックテープ片）３４と、図３に示すように裏地１３ｂ側の一端部１４に配設された他側止着片３６としての他側面ファスナー片（例えばループテープ片）３７とを備えている。
【００３０】
また、抱持布部２３は、裏地２３ｂ側の他側端縁２５近傍の略中央部位に一方の面ファスナー片（例えばフックテープ片）２６を、また、図２に示すように表地２３ａ側の一側端縁２４近傍の略中央部位に他方の面ファスナー片（例えばループテープ片）２７をそれぞれ備えている。
【００３１】
さらに、飾り布地４２は、図５に示すようにその表地４２ａ側が表面に位置するように複数回折り返してお飾り４３の形成を可能とすべく、帯本体部１３の帯幅と同じ幅で、その長さが所望に応じた適宜の長さ、例えば１４８〜１５１ｃｍであって、図４に示すように表地４２ａ側を適宜の模様が付された装飾面とし、裏地４２ｂ側を模様のない非装飾面とした状態のもとで形成されている。
【００３２】
次いで、図６〜図１０に基づいて本発明の第２の例としての簡易帯１１を具体的に説明すれば、帯本体部１３は、図６において抱持布部２３側から装着者のアンダーバスト回りの実寸寸法分の長さのほか、さらにその右端部側に２０ｃｍ程度（１９〜２１ｃｍ）付加した長さをその全長とすることで、巻き付けて装着した際に２０ｃｍ程度の重ね合わせ部位を確保することで、ずれたりして巻き心地に安定感がなかったり、重すぎてごわつくといったことなどのない安定した装着状態が得られるようになっている。しかも、帯本体部１３は、その帯幅が１４．５〜１５．５ｃｍで、表地１３ａ側を適宜の模様が付された装飾面とし、裏地１３ｂ側を例えば模様のない非装飾面としたり表側と同様に適宜の模様が付された装飾面とするなどして形成されている。
【００３３】
しかも、帯本体部１３には、図８に示すように該帯本体部１３よりやや狭幅で、その長さが例えば４７．５〜４８．５ｃｍの可撓性のある合成樹脂材からなる帯板２９がその長さ方向に沿わせて内在配置されている。
【００３４】
また、抱持布部２３は、帯本体部１３の帯幅と同じ幅で、その長さが３９．５〜４０．５ｃｍ、好ましくは４０ｃｍであって、表地２３ａ側を適宜の模様が付された装飾面とし、裏地２３ｂ側を例えば模様のない非装飾面とした状態のもとで図７および図８に示す配置関係のもとで形成されている。
【００３５】
つまり、帯本体部１３と抱持布部２３とからなる帯地１２は、図６に示すように帯本体部１３の一端部１４に位置する表地１３ａ側に抱持布部２３の裏地２３ｂ側が部分的に露呈する配置関係となった略倒Ｌ字形を呈して形成されている。
【００３６】
しかも、帯本体部１３は、表地１３ａ側の一側端部１４の略中央位置に縫着部２０を設けて抱持布部２３の長さ方向へと引き出されたそれぞれの紐幅が１．５〜２．５ｃｍで紐長さが２４．５〜２６．５ｃｍである上下一対の結び紐１８，１９を備えている。
【００３７】
また、帯本体部１３は、表地１３ａを含む他端部１５側に配設された一側止着片３３としての一対の一側紐片３５，３５と、裏地１３ｂを含む一端部１４側に配設された他側止着片３６としての一対の他側紐３８，３８とを備えている。なお、一対の一側紐片３５，３５と一対の他側紐３８，３８とは、互いに結び合わせた際に帯本体部１３の人体胴回りへの安定的な装着が可能な摩擦性に富む素材、例えばざらざらした触感のアクリル紐や綿素材などを用いて形成するのが望ましいが、必要により帯本体部１３と同じ共布を用いて形成することもできる。
【００３８】
この場合、一対の一側紐片３５，３５は、図６において右上側に位置する一側紐片３５が他側辺１７寄りの端縁１５ａ側から、図６において右下側に位置する一側紐片３５が一側辺１６寄りの端縁１５ａ側から、それぞれの紐幅が２〜３ｃｍで紐長さが４６〜４８ｃｍとなって各別に引き出されている。
【００３９】
また、一対の他側紐片３８，３８は、図６において左上側に位置する一方の他側紐片３８が端縁１４ａ寄りの一側辺１６側から、図６において左下側に位置する他側紐片３８が他側辺１７寄りの端縁１４ａ側から、それぞれの紐幅が２〜３ｃｍで紐長さが４６〜４８ｃｍとなって各別に引き出されている。
【００４０】
また、抱持布部２３は、裏地２３ｂ側の他側端部２５の略中央部位に図６に示すように一方の面ファスナー片（例えばフックテープ片）２６を、表地２３ａ側の一側端部２４の略中央部位に図７に示すように他方の面ファスナー片（例えばループテープ片）２７をそれぞれ備えている。
【００４１】
さらに、飾り布地４２は、図１０に示すようにその表地４２ａ側が表面に位置するように複数回折り返してお飾り４３の形成を可能とすべく、帯本体部１３の帯幅と同じ幅で、その長さが所望に応じた適宜の長さ、例えば２５１．５〜２５２．５ｃｍとなって形成されている。
【００４２】
しかも、飾り布地４２は、図９に示すように表地４２ａの一端部４４側にはその長さが７９．５〜８０．５ｃｍの一側模様面４６が、他端部４５側にはその長さが３９．５〜４０．５ｃｍの他側模様面４７がそれぞれ形成されており、これら一側模様面４６と他側模様面４７との間は無地の非模様面４８となっている。なお、飾り布地４２の表地４２ａは、全面が模様面であってもよい。
【００４３】
一方、図１１〜図１３に示す本発明の第３の例の簡易帯１１は、第２の例の簡易帯１１とは帯本体部１３が備える一側止着片３３と他側止着片３６との具体的構成を異にするのみで、サイズを含むその余の構成は第２の例の簡易帯１１と同じなので、その説明は相違点についてのみ行い、その余の同一部位には同一の符号を付して説明を省略する。
【００４４】
すなわち、本発明の第３の例の簡易帯１１における帯本体部１３の表地１３ａ側の他端部１５には、本発明の第１の例の簡易帯１１と同様に一側止着片３３として図１１に示されているように一側面ファスナー片（例えばフックテープ片）３４が、帯本体部１３の裏地１３ｂ側の一端部１４には、やはり本発明の第１の例の簡易帯１１と同様に他側止着片３６として他側面ファスナー片（例えばループテープ片）３７がそれぞれ配設されている。
【００４５】
本発明は、このようにして構成されているので、人体の胴回りへの装着使用は、以下の手順を踏んで行われることになる。すなわち、帯地１２は、図１、図６、図１１に示すように帯本体部１３はその表地１３ａが、抱持布部２３はその裏地２３ｂがそれぞれみえるようにして展開配置する。
【００４６】
このとき、帯本体部１３の表地１３ａの左側に位置する一端部１４には、結び紐１８，１９が位置することになるので、飾り布地４２を例えば図４や図１０に示すようにその上面に表地４２ａを位置させた自分好みの適宜の形になるように複数回折り返すことで形成されたお飾り４３として、図１４（ａ）に示されているように載置する。
【００４７】
次いで、お飾り４３は、結び紐１８，１９を結び合わせることで図１４（ｂ）に示されているように適宜の蝶形に変形された状態のもとで帯本体部１３上に位置固定される。
【００４８】
お飾り４３を帯本体部１３上に位置固定させた後は、その一側端縁２４側を帯本体部１３の一側辺１６側に縫着された状態のもとで裏地２３ｂをみせて展開されている抱持布部２３を、お飾り４３の中心部位側を隠蔽しながらその表地４２ａ側をみせるようにして引き上げる。
【００４９】
このとき、抱持布部２３は、裏地２３ｂ側の他側端縁２５近傍に図１４（ｂ）一方の面ファスナー片（例えばフックテープ片）２６を、表地２３ａ側の一側端縁２４近傍に例えば図２に示すように他方の面ファスナー片（例えばループテープ片）２７をそれぞれ備えているので、お飾り４３の中心部位を包み込むように巻き上げて一方の面ファスナー片（例えばフックテープ片）２６を他方の面ファスナー片（例えばループテープ片）２７に係着させることで、図１４（ｃ）に示されているようにお飾り４３を帯地１２側に一体的に取り付けることができる。
【００５０】
このようにお飾り４３を帯地１２側に一体的に取り付けた後は、帯地１２側を人体の胴部回りに配置した上で、一側止着片３３と他側止着片３６とを止着させることで、人体側に簡易帯１１として装着することができることになる。
【００５１】
すなわち、図１に示す本発明の第１の例と図１１に示す第３の例の簡易帯１１による場合は、一側止着片３３が一側面ファスナー片３４により、他側止着片３６が他側面ファスナー片３７によりそれぞれ形成されているので、一側面ファスナー片３４を他側面ファスナー片３７に係着させた面ファスナー３９を介して人体胴回り簡易帯１１として装着することができる。
るのですが、。
【００５２】
また、図６に示す本発明の第２の例による場合は、一側止着片３３が一側紐片３５により、他側止着片３６が他側紐片３８によりそれぞれ形成されているので、一側紐片３５と他側紐片３８とを結び合わせることで人体胴回りに簡易帯１１として装着することができる。
【００５３】
したがって、本発明によれば、帯本体部１３は、表地１３ａ側の一側端部１４に一対の結び紐１８，１９を備えているので、これらの結び紐１８，１９により飾り布地４２をその上面に表地４２ａが位置するように複数回折り返して形成されたお飾り４３を結び付けるだけで、簡単に帯本体部１３側に位置固定することができる。この場合、お飾り４３は、帯本体部１３側とは別体となって形成されているいるので、自分好みの形となるように自由にアレンジした上で、帯本体部１３側に位置固定することができる。
【００５４】
また、位置固定されたお飾り４３は、抱持布部２３をお飾り４３の中心部位側を隠蔽しながら手前側へと引き上げて巻き込んだ上で、抱持布部２３がその裏地２３ｂ側に備える一方の面ファスナー片２６を、表地２３ａ側に備える他方の面ファスナー片２７と単に係着させて帯地１２側にお飾り４３を取り付けることで、その全体を簡易帯１１として簡単に一体化させることができる。
【００５５】
しかも、簡易帯１１として用いる場合には、帯本体部１３の表地１３ａの他端部１７側に配設されている一側止着片３３と、裏地１３ｂの一端部１４側に配設されている他側止着片３６とを相互に止着することで、誰でも極めて簡単にこれを人体胴回りに装着することができる。
【００５６】
また、帯布材を２枚重ねにしてなる帯本体部１２がその帯幅を８．５〜９．５ｃｍの細幅にして形成されている場合には、ウエスト部位を覆う面積もそれだけ少なくしてどのような体形であっても足が長く、かつ、ウエストが細くみえるようにして装着できるほか、帯装着時の違和感をなくして動きやすくすることができる。
【００５７】
さらに、帯本体部１３の長さ方向に帯板２９を予め内在配置させてある場合には、従来のように帯を巻きながら帯板を挟み込む手間をかけなくすることができる。また、帯本体部１３がその帯幅を１４．５〜１５．５ｃｍの広幅にして形成されている場合には、アンダーバスト部位への帯装着時により重厚な雰囲気を醸成することができる。
【００５８】
また、一側止着片３３と他側止着片３６とが互いに結び合わせて帯本体部１３の人体胴回りへの安定的な装着が可能な摩擦性に富む素材からなる上下一対の一側紐片３５，３５と上下一対の他側紐片３８，３８とで形成されている場合には、単に結び合わせるだけの簡単な作業だけで締め付け用の紐を別に用いて強く締め付けることなく簡易帯１１の全体を人体胴回りに確実に装着することができる。
【００５９】
さらに、一側止着片３３が一側面ファスナー片３４であるフックテープ片またはループテープ片であって、他側止着片３８が他側面ファスナー片３７であるループテープ片またはフックテープ片とである場合には、紐を用いる際の結び付け作業をなくして例えばベルトを使用する感覚のもとで簡易帯１１を簡単に装着することができる。
【符号の説明】
【００６０】
１１  簡易帯
１２  帯地
１３  帯本体部
１３ａ  表地
１３ｂ  裏地
１４  一端部
１４ａ  端縁
１５  他端部
１５ａ  端縁
１６  一側辺
１７  他側辺
１８，１９  結び紐
２０  縫着部
２３  抱持布片
２３ａ  表地
２３ｂ  裏地
２４  一側端縁
２５  他側端縁
２６  一方の面ファスナー片
２７  他方の面ファスナー片
２９  帯板
３３  一側止着片
３４  一側面ファスナー片
３５  一側紐片
３６  他側止着片
３７  他側面ファスナー片
３８  他側紐片
３９  面ファスナー
４２  飾り布地
４２ａ  表地
４２ｂ  裏地
４３  お飾り
４４  一端部
４５  他端部
４６  一側模様面
４７  他側模様面
４８  非模様面
【図１】
2015001030.tif 000003
【図２】
2015001030.tif 000004
【図３】
2015001030.tif 000005
【図４】
2015001030.tif 000006
【図５】
2015001030.tif 000007
【図６】
2015001030.tif 000008
【図７】
2015001030.tif 000009
【図８】
2015001030.tif 000010
【図９】
2015001030.tif 000011
【図１０】
2015001030.tif 000012
【図１１】
2015001030.tif 000013
【図１２】
2015001030.tif 000014
【図１３】
2015001030.tif 000015
【図１４】
2015001030.tif 000016